(57)【要約】【課題】本発明は、外部から容易に回され取り外されることのない、防犯性の高いねじの提供を課題とする。【解決手段】ドライバー等の工具の先端を当てる溝部８を有する頭部７と雌ねじ１の円筒部分３の内部に挿入される棒状部分９からなる雄ねじ６と、雄ねじ６の棒状部分９が挿入される円筒部分３と溝部のないドーム状の頭部２を有する雌ねじ１からなる締付具において、雌ねじの頭部裏面５に少なくとも一つ以上の柱状突起４を設けることにより、締付具の防犯性を高めた。【選択図】図１
2009030786.tif 000002
【特許請求の範囲】
【請求項１】
ドライバー等の工具の先端を当てる溝部を有する頭部と雌ねじの円筒部分内部に挿入される棒状部分からなる雄ねじと、雄ねじの棒状部分が挿入される円筒部分と溝部のないドーム状の頭部を有する雌ねじからなる締付具であって、雌ねじの頭部裏面に一つの柱状突起を設けたことを特徴とする防犯用締付具
【請求項２】
ドライバー等の工具の先端を当てる溝部を有する頭部と雌ねじの円筒部分内部に挿入される棒状部分からなる雄ねじと、雄ねじの棒状部分が挿入される円筒部分と溝部のないドーム状の頭部を有する雌ねじからなる締付具であって、雌ねじの頭部裏面に複数の柱状突起を設けたことを特徴とする防犯用締付具
【発明の詳細な説明】
【技術分野】
【０００１】  外部から簡単に外せないねじの構造に関する。
【背景技術】
【０００２】  ねじの回り止め構造に関するものとして、下記特許文献記載のものが挙げられる。
【特許文献１】特開平０６−３０９９１６
【発明の開示】
【発明が解決しようとする課題】
【０００３】  上記文献の図１に示されているねじは、回り止め突起を有しており、これが本体の回り止め孔に係合することによって不用意に回転することを防止し、確実に締め付けることができるように工夫されている。【０００４】  また、上記文献の図６に示されているねじは、円形頭部に連続する四角形の角形部を本体の角孔に係合することによって不用意に回転することを防止し、確実に締め付けることができるように工夫されている。【０００５】  しかし、上記特許文献の段落番号００２７にも記載されているように、回り止め用の突起は小さいものである。また、角形部の厚みも薄い。そのため、ねじが少しでも緩んでしまえば、突起又は角形部と孔の係合が解かれ、ねじが回転してしまう。【０００６】  また、上記文献の図２、図５を見ると分るが、ねじ頭部のうち外部に露出しているドーム状部分の一部が抉れている。これは、ドライバーの先端を当てる溝であると思われる。【０００７】  つまり、上記文献に示されているのは、あくまでねじの回り止め構造に関するものであって、防犯を目的としたものではない。扉の室内側に取手の座板等を取り付けるときは、プラス溝やマイナス溝を有するねじを使ってねじ止めしても特に問題はないが、室外側に取り付けるときは、防犯上の観点から、溝付きねじを使用するのは妥当でない。【０００８】  そこで、回り止め防止のほか、防犯をも目的としたねじを開発することが課題である。
【課題を解決するための手段】
【０００９】  ドライバー等の工具の先端を当てる溝部８を有する頭部７と雌ねじ１の円筒部分３の内部に挿入される棒状部分９からなる雄ねじ６と、雄ねじ６の棒状部分９が挿入される円筒部分３と溝部のないドーム状の頭部２を有する雌ねじ１からなる締付具であって、雌ねじの頭部裏面５に少なくとも一つ以上の柱状突起４を設けたことを特徴とする防犯用締付具を発明した。
【発明の効果】
【００１０】  本発明の構成部品である雌ねじ１のドーム状の頭部２には、プラス型やマイナス型等の溝がなく、しかも、頭部裏面５には、雌ねじ１を埋め込む面に施された係合穴と係合する柱状突起４があるため、雌ねじ１を外部から回され取り外されるという心配は無い。【００１１】  したがって、本発明品は、建具用扉１０のように、防犯性が要求される箇所に何かを取り付けるときの締付具として活用するのが最適である。
【発明を実施するための最良の形態】
【００１２】  図１に示すように、建具用扉１０に面付錠等の被締体１２を取り付けるときの締付具として、本発明に係る防犯用締付具を用いた場合について説明する。【００１３】  原則として、雄ねじ６が室内側、ねじ溝の無い雌ねじ１が室外側となるように取り付ける。防犯性が求められるのは室外側だからである。なお、扉枠１１が出っ張っている方が室内側である。【００１４】  雌ねじ１の頭部裏面５には柱状突起４があるが、柱状というぐらいだから、単に山状に隆起しているだけでは足りず、ねじが多少緩んだとしても係合が解かれない程度の高さを必要とする。【００１５】  雌ねじ１が取り付けられる室外側の面には、ねじ穴の他に、当該柱状突起４が係合する穴を加工する必要がある。
【実施例１】
【００１６】  柱状突起４を複数設けた雌ねじも考えられる。図１０乃至図１７では、二つの柱状突起４を設けた雌ねじを示している。柱状突起４が多ければ多いほど、防犯性や強度は高まるが、その分、係合穴を多く加工する必要が生じ、煩雑となる点を考慮すべきである。
【図面の簡単な説明】
【００１７】
【図１】１つの柱状突起を有する雌ねじを用いた締付具の使用状態図
【図２】１つの柱状突起を有する雌ねじの正面図
【図３】１つの柱状突起を有する雌ねじの背面図
【図４】１つの柱状突起を有する雌ねじの左側面図
【図５】１つの柱状突起を有する雌ねじの右側面図
【図６】１つの柱状突起を有する雌ねじの平面図
【図７】１つの柱状突起を有する雌ねじの底面図
【図８】図２におけるＡ−Ａ’断面図
【図９】図４におけるＢ−Ｂ’断面図
【図１０】２つの柱状突起を有する雌ねじの正面図
【図１１】２つの柱状突起を有する雌ねじの背面図
【図１２】２つの柱状突起を有する雌ねじの左側面図
【図１３】２つの柱状突起を有する雌ねじの右側面図
【図１４】２つの柱状突起を有する雌ねじの平面図
【図１５】２つの柱状突起を有する雌ねじの底面図
【図１６】図１０におけるＡ−Ａ’断面図
【図１７】図１２におけるＢ−Ｂ’断面図
【図１８】２つの柱状突起を有する雌ねじを用いた締付具の使用状態図
【図１９】雄ねじの正面図
【図２０】図１９におけるＢ−Ｂ’断面図
【図２１】雄ねじの平面図
【符号の説明】
【００１８】１…雌ねじ
２…雌ねじの頭部
３…雌ねじの円筒部分
４…雌ねじの柱状突起
５…雌ねじの頭部裏面
６…雄ねじ
７…雄ねじの頭部
８…雄ねじの頭部の溝部
９…雄ねじの棒状部分
１０…建具用扉
１１…扉枠
１２…被締付体
【図１】
2009030786.tif 000003
【図２】
2009030786.tif 000004
【図３】
2009030786.tif 000005
【図４】
2009030786.tif 000006
【図５】
2009030786.tif 000007
【図６】
2009030786.tif 000008
【図７】
2009030786.tif 000009
【図８】
2009030786.tif 000010
【図９】
2009030786.tif 000011
【図１０】
2009030786.tif 000012
【図１１】
2009030786.tif 000013
【図１２】
2009030786.tif 000014
【図１３】
2009030786.tif 000015
【図１４】
2009030786.tif 000016
【図１５】
2009030786.tif 000017
【図１６】
2009030786.tif 000018
【図１７】
2009030786.tif 000019
【図１８】
2009030786.tif 000020
【図１９】
2009030786.tif 000021
【図２０】
2009030786.tif 000022
【図２１】
2009030786.tif 000023